(57)【特許請求の範囲】
【請求項１】
端部が回動自在に支持される巻き軸と、該巻き軸に一端を固定して巻装され該巻き軸の回動に伴って他端が上下方向に移動されるスクリーンとを具備した保冷ロールスクリーンにおいて、
上下方向に長いスリットを前記スクリーンに少なくとも一本以上設けて該スリットを挟んで前記スクリーンを左右に分断するとともに、
一方向に直交する方向の内部断面形状が同一となる保冷庫の前記内部断面形状と略同一形状で前記スクリーンを形成し、
前記保冷庫の天井面に、前記巻き軸の端部をスライド自在に支持する前記一方向に長いレールを設けて該レールを介して前記巻き軸を前記保冷庫の内部で前記一方向に移動自在としたことを特徴とする保冷ロールスクリーン。
【請求項２】
前記スリットによって分断された左右のスクリーンに亘って連結解除可能な連結手段を設けて該左右のスクリーンを一体に連結したことを特徴とする請求項１記載の保冷ロールスクリーン。
【請求項３】
前記スクリーンの他端の左右方向中央部に、上下方向に長い引下げ用ベルトの上端を固定したことを特徴とする請求項１記載の保冷ロールスクリーン。
【発明の詳細な説明】
【０００１】
【発明の属する技術分野】
本発明は、端部が回動自在に支持される巻き軸に、スクリーンの一端を固定し、巻き軸の回動に伴ってスクリーンの他端を巻き上げ巻き下げする保冷ロールスクリーンに関するものである。
【０００２】
【従来の技術】
一般に保冷車、冷凍車或いは保冷庫、冷凍庫と呼ばれているものは、保冷用の荷物を運搬するために保冷庫をそのボディにで一体に組み込んだものや、冷凍品を冷凍して運搬するために冷凍庫をそのボディに一体に組み込んだものがあり、トラックボディやトレーラーに積み込み積み下ろし自在に積み込むものとして保冷庫、冷凍庫があり、更に、車載しない保冷庫、冷凍庫等もある。
これらの保冷庫、冷凍庫等（以降、保冷庫を例にとり説明する。）は、保冷庫内の温度をできるだけ低温に保ちながら、保冷用の荷物或いは冷凍品の積み込み積み下ろしが容易に行えるように、図８に示すように保冷庫１の後部の観音開きのドア３の他に、保冷庫１の前部の側面にもドア５を設け、積み荷に近い方のドアから荷物の積み込み積み下ろしを行っている。
【０００３】
この、保冷庫１の内部には、ドア３又はドア５を開けて荷物の積み込み積み下ろしを行う際に、保冷庫１の一部のみを外気に開放し、全体が開放されることの無いように間仕切りを取り付けている。この間仕切りとしては、図９に示すようなロールスクリーン７を使用したり、又は中仕切り扉（図示せず）などを使用している。
【０００４】
【発明が解決しようとする課題】
しかしながら、図９に示したロールスクリーンは、保冷庫の操作者が荷物の積み込み積み下ろしをする際に、ドアを開放して、更にロールスクリーンを操作者が出入りできる高さまで巻き上げると、間仕切りの開口が大きくなり、開口から冷気が流出するとともに外気が保冷庫内へ流入し、保冷庫内の温度を上げるという間題点があった。
また、中仕切り扉は、操作者が通り抜けることができる程度の幅に開けることで開口を小さくすることはできるが、一般的に保冷庫の略天井高さまで開口して開くため、開口全体としては必ずしも小さくはならない。更に、中仕切り扉は、ロールスクリーンに比べて価格が高くなる間題と、扉の開閉に要するスペースが必要となり、保冷庫の積載スペースを無駄にする問題があった。
本発明は上記状況に鑑みてなされたもので、保冷庫の空間部を仕切る保冷ロールスクリーンにおいて、特に荷物の積み込み積み下ろし時に生じる開口をできるだけ小さくして、保冷・冷凍負荷を小さくすることのできる保冷ロールスクリーンを提供することを目的とする。
【０００５】
【課題を解決するための手段】
上記目的を達成するための本発明に係る請求項１記載の保冷ロールスクリーンは、端部が回動自在に支持される巻き軸と、該巻き軸に一端を固定して巻装され該巻き軸の回動に伴って他端が上下方向に移動されるスクリーンとを具備した保冷ロールスクリーンにおいて、上下方向に長いスリットを前記スクリーンに少なくとも一本以上設けて該スリットを挟んで前記スクリーンを左右に分断するとともに、一方向に直交する方向の内部断面形状が同一となる保冷庫の前記内部断面形状と略同一形状で前記スクリーンを形成し、前記保冷庫の天井面に、前記巻き軸の端部をスライド自在に支持する前記一方向に長いレールを設けて該レールを介して前記巻き軸を前記保冷庫の内部で前記一方向に移動自在としたことを特徴とする。
【０００６】
この保冷ロールスクリーンでは、スクリーンに、上下方向に長いスリットが設けられる。従って、スクリーンにより仕切られた保冷庫内から小さな荷物を取り出す場合、このスリットを介して取り出しが行え、スクリーン全体を巻き上げる必要がなくなり、スクリーン全体を巻き上げることにより生じる冷気の流出及び外気の流入が少なくなり、保冷空間部の保冷・冷凍負荷の増加が小さくなる。また、スクリーンがレールに沿って保冷庫の一方向に移動可能となり、保冷庫が所望の容積で仕切られることで、保冷庫内の収容物の体積に合わせて常に最小の保冷空間が形成可能になり、保冷・冷凍負荷の無駄が排除される。
【０００７】
請求項２記載の保冷ロールスクリーンは、前記スリットによって分断された左右のスクリーンに亘って連結解除可能な連結手段を設けて該左右のスクリーンを一体に連結したことを特徴とする。
【０００８】
この保冷ロールスクリーンでは、スリットによって分断された左右のスクリーンが、解除可能な連結手段によって一枚に仮固定され、分断された左右のスクリーンの相互間に巻きずれが生じなくなる。
【０００９】
請求項３記載の保冷ロールスクリーンは、前記スクリーンの他端の左右方向中央部に、上下方向に長い引下げ用ベルトの上端を固定したことを特徴とする。
【００１０】
この保冷ロールスクリーンでは、保冷ロールスクリーンが車両の荷台上の保冷庫に設けられた場合、荷台に上がることなく、引下げ用ベルトを介して地上からスクリーンの他端が引き下げ可能になる。
【００１３】
【発明の実施の形態】
以下、本発明に係る保冷ロールスクリーンの好適な実施の形態を図面を参照して詳細に説明する。なお、保冷ロールスクリーンの説明を車載用の保冷庫を例にとり説明するが、本発明の保冷ロールスクリーンは車載用の保冷庫に限定されることなく、車載用の冷凍庫及び保冷車・冷凍車にも使用され、又は車載しない保冷庫、冷凍庫にも使用されることは言うまでもない。
図１は本発明に係る保冷ロールスクリーンの正面図、図２は図１に示した保冷ロールスクリーンに設けられるストップコントローラ機構の斜視図、図３は連結手段の設けられたスリット部分の拡大図、図４はレールによって巻き軸が支持された保冷ロールスクリーンの部分拡大斜視図、図５も同様にレールによって巻き軸が支持された保冷ロールスクリーンの部分拡大斜視図、図６は保冷庫の底面部分の形状例を表した斜視図、図７は保冷ロールスクリーンによって塞がれた車載用保冷庫後部の部分断面図である。
【００１４】
保冷ロールスクリーン１１は、端部が回動自在に支持される水平方向の巻き軸１３に、一端を固定して巻装されるスクリーン１５を有してなる。スクリーン１５は、巻き軸１３の回動に伴って他端が上下方向に移動されて、巻き下げ巻き上げされる。スクリーン１５は、巻き軸１３に内蔵された不図示のバネ式巻き上げ機構により、常時巻き上げられる方向に付勢されている。
【００１５】
スクリーン１５は、断熱構造で形成されている。即ち、スクリーン１５は、輻射熱を反射する反射シートを表裏に用い、その間に断熱繊維を挟んで、断熱繊維と共に表裏の反射シートを所定面積毎に縫い合わせた所謂キルティング状に形成してある。なお、本発明の保冷ロールスクリーンに用いるスクリーンは、この他、断熱係数の大きい材料からなるシートを単層で形成するものであってもよく、更には単なるフィルム状のものであってもよい。
【００１６】
巻き軸１３の端部側には、図２に示すストップコントローラ機構１７が設けられている。ストップコントローラ機構１７は、スクリーン１５の巻き上げ終了位置で、バネの余力を残すようにしてそれ以上のスクリーン１５の巻き上げを阻止する機構となっている。また、ストップコントローラ機構１７は、レバー１９を操作することで、任意の巻き上げ位置でスクリーン１５を停止させ、スクリーン１５の巻き上げ高さを自由に設定可能にしている。
【００１７】
スクリーン１５には、上下方向（スクリーン１５の巻き下げ巻き上げ方向）に長いスリット２１を巻き軸１３の軸線方向に少なくとも一本以上設けてある。スクリーン１５は、このスリット２１を挟んで左右が分断されている。つまり、このスリット２１は、スクリーン１５を通過可能にする開口部となる。
【００１８】
このスリット２１は、下端をスクリーン１５の他端で開放して、スクリーン１５の他端を左右に分断するもの、或いは下端を開放せず、スクリーン１５の他端を連続状態のままに形成するもののいずれであってもよい。下端を他端で開放したスリット２１は、所謂暖簾状となり、このスリット２１による開口部を自在に広げることができる。一方、下端を開放しないスリット２１の場合は、スリット２１による開口部を一定の大きさに規制することができる。
【００１９】
図３に示すように、スリット２１によって分断された左右のスクリーン１５には、連結解除可能な連結手段２３が両者に亘って設けられている。連結手段２３としては、例えば、面ファスナー（所謂マジック・テープ、ベルクロ）や、ジッパー等を用いることができる。これにより、スリット２１により分断された左右のスクリーン１５は、連結手段２３によって一体に連結される。
【００２０】
スクリーン１５の下部には、軟らかいウェイト２５が取り付けられている。ウェイト２５は、その重量によりスクリーン１５に張力を付与し、巻き下げ巻き上げ時のスクリーン他端の水平保持、及びバタツキを防止する。なお、このウェイト２５は、保冷ロールスクリーン１１の構成の要素として省略されるものであってもよい。
【００２１】
スクリーン１５の他端の左右方向中央部には、上下方向に長い引下げ用ベルト２７の上端を固定してある。この引下げ用ベルト２７の長さは、例えば保冷ロールスクリーン１１が車搭保冷庫に取り付けられた場合、地上から手が届く長さに設定されている。
【００２２】
この実施形態による保冷ロールスクリーン１１は、車載用のの保冷庫２８に取り付けられている。保冷庫２８は、一方向（図１の紙面に垂直な方向）に直交する方向の内部断面形状が同一となっている。上述したスクリーン１５は、この保冷庫２８の内部断面形状と略同一形状で形成されている。
【００２３】
巻き軸１３は、両端が支持部材２９によって回動自在に支持されている。巻き軸１３の両端の支持部材２９は、ブラケット３１により連結されている。図４及び図５に示すように、支持部材２９の上端、若しくはブラケット３１の両端には、回動自在なローラ３３が設けられている。一方、保冷庫２８の天井面には、保冷庫２８の一方向に長い一対のレール３５が設けられている。保冷ロールスクリーン１１は、このレール３５を軌道としてローラ３３を転動させることで、レール３５に沿って保冷庫２８の内部を一方向に移動自在となっている。
【００２４】
図４に示すブラケット３１には、弾性材（ゴム板、軟質樹脂板等）からなる上部塞ぎ部材３７が立設されている。上部塞ぎ部材３７は、保冷ロールスクリーン１１の移動によって保冷庫２８の天井面に摺接し、ブラケット３１と保冷庫天井面との間を塞いで冷気・外気の流出・流入を防止している。
図５に示すブラケット３１は、保冷庫２８の天井面との隙間を小さくしているので、ブラケット３１と保冷庫天井面との間を塞ぐ上部塞ぎ部材３７を使用しないでも冷気・外気の流出・流入を防止することができる。
【００２５】
保冷庫２８の床には、図６（ａ）（ｂ）（ｃ）に示すような凸部４１と凹部４３による冷気の通り道が設けられている。また、図７に示すように、後部の床には後ドア４５の前部に通常ドアストッパ４７が設けられており、このドアストッパ４７と凸部４１により一段と低められた溝４９が保冷庫２８の全幅方向に亘って形成されている。保冷ロールスクリーン１１は、この溝４９に下部のウェイト２５を落とし込んで冷気の通り道を塞ぎ、冷気の逃げを防止している。
【００２６】
次に、このように構成された保冷ロールスクリーン１１の作用を説明する。
この実施形態による保冷ロールスクリーン１１では、スクリーン１５により仕切られた保冷庫２８内から小さな荷物を取り出す場合、スリット２１を介して取り出しが行われ、スクリーン１５の全体を巻き上げる必要がなくなる。これにより、スクリーン１５の全体を巻き上げることによる冷気の流出及び外気の流入が少なくなり、保冷庫２８の保冷・冷凍負荷の増加が小さくなる。
【００２７】
そして、スリット２１によって分断された左右のスクリーン１５が、解除可能な連結手段２３によって一枚に仮固定され、分断された左右のスクリーン１５に巻きずれが生じなくなる。
【００２８】
また、保冷ロールスクリーン１１が車載用の保冷庫２８に設けられた場合、引下げ用ベルト２７が地上から把持可能に垂下するので、荷台に上がることなく、引下げ用ベルト２７を介して地上からスクリーン１５の他端が引き下げ可能になる。
【００２９】
更に、スクリーン１５がレール３５に沿って保冷庫２８の一方向に移動可能となり、保冷庫２８を所望の容積で仕切ることができるようになるので、保冷庫２８内の収容物の体積に合わせて常に最小の保冷空間が形成可能になる。
【００３０】
このように、上述の保冷ロールスクリーン１１によれば、スクリーン１５により仕切られた保冷庫２８内から小さな荷物を取り出す場合、スリット２１を介して取り出しが行えるので、スクリーン全体を巻き上げずに済み、冷気の流出及び外気の流入が少なく、保冷・冷凍負荷の増加を小さく抑えることができる。
そして、スリット２１を設けることによって左右に分断されたスクリーン１５を連結手段２３により一枚に仮固定できるので、分断された左右のスクリーンの巻きずれを防止できる。
また、保冷ロールスクリーン１１を例えば車載用の保冷庫２８に設けた場合、地上から引下げ用ベルト２７が把持できるので、荷台に上がることなく、地上からスクリーン１５の引き下げができる。
更に、保冷ロールスクリーン１１を保冷庫２８の内部で移動自在に設けたので、スクリーン１５を保冷庫２８内の所望の位置に移動することができ、収容物の体積に合わせて最小の保冷空間を形成できる。
【００３１】
【発明の効果】
以上詳細に説明したように、本発明に係る請求項１記載の保冷ロールスクリーンは、スクリーンに、上下方向に長いスリットを少なくとも一本以上設けたので、スクリーンにより仕切られた保冷庫内から荷物を取り出す場合、このスリットを介して取り出しが行える。このため、スクリーン全体を巻き上げないで済み、スクリーン全体を巻き上げることにより生じる冷気の流出及び外気の流入が少なく、保冷庫の保冷・冷凍負荷の増加を小さく抑えることができる。また、スクリーンの巻装される巻き軸を、保冷庫の内部で移動自在に設けたので、スクリーンを所望の位置に移動することで、保冷庫内を所望の容積で仕切ることができる。この結果、保冷庫内の収容物の体積に合わせて常に最小の保冷空間を形成することができ、保冷・冷凍負荷の無駄を排除して保冷・冷凍負荷を小さく抑えることができる。
【００３２】
請求項２記載の保冷ロールスクリーンは、スリットによって分断された左右のスクリーンを解除可能に連結する連結手段を左右のスクリーンに亘って設けたので、スリットを設けることによって左右に分断されたスクリーンを一枚に仮固定することができ、分断された左右のスクリーンの相互間に生じ易い巻きずれを防止することができる。
【００３３】
請求項３記載の保冷ロールスクリーンは、スクリーン他端の左右方向中央部に、上下方向に長い引下げ用ベルトの上端を固定したので、保冷ロールスクリーンを例えば車載用の保冷庫に設けた場合、荷台に上がることなく、引下げ用ベルトを把持して地上からスクリーンを引き下げることができる。
【図面の簡単な説明】
【図１】本発明に係る保冷ロールスクリーンの正面図である。
【図２】図１に示した保冷ロールスクリーンに設けられるストップコントローラ機構の斜視図である。
【図３】連結手段の設けられたスリット部分の拡大図である。
【図４】レールによって巻き軸が支持された保冷ロールスクリーンの部分拡大斜視図である。
【図５】レールによって巻き軸が支持された保冷ロールスクリーンの部分拡大斜視図である。
【図６】保冷庫の底面部分の形状例を表した斜視図である。
【図７】保冷ロールスクリーンによって塞がれた車載用保冷庫後部の部分断面図である。
【図８】保冷庫を搭載した保冷・冷凍車の斜視図である。
【図９】従来の保冷ロールスクリーンの斜視図である。
【符号の説明】
１１…保冷ロールスクリーン、１３…巻き軸、１５…スクリーン、２１…スリット、２３…連結手段、２７…引下げ用ベルト、３５…レール
【図１】
0004000400.tif 000002
【図２】
0004000400.tif 000003
【図３】
0004000400.tif 000004
【図４】
0004000400.tif 000005
【図５】
0004000400.tif 000006
【図６】
0004000400.tif 000007
【図７】
0004000400.tif 000008
【図８】
0004000400.tif 000009
【図９】
0004000400.tif 000010